(57)【要約】【課題】  画像作成作業の効率を向上させる。【解決手段】  作成した各レイヤーの動画を積層合成し（ステップＳ１，Ｓ２）、各レイヤーの動画相互の位置的及び時間的関係を整合させる（ステップＳ３，Ｓ４）。サブ表示器２３に表示させる部分を時間経過に渡って切り出し、切り出した部分を特定する情報としての座標情報を、各フレームに対応させる（ステップＳ５）。座標データが各フレームに付された動画データを表示確認装置２に転送する（ステップＳ６）。表示確認装置２は動画データを受信する（ステップＳ１１）。表示器駆動制御部２１４がサブ表示器２３を駆動しつつ、表示制御部２１３は、受信した動画をメイン表示器２２にメイン表示器２２用の動画を表示すると共に、各フレームに付された座標情報に基づき、実時間で、サブ表示器２３用の動画を切り出してサブ表示器２３に表示する（ステップＳ１２）。【選択図】  図１
2014235492.tif 000002
【特許請求の範囲】
【請求項１】
互いに前後に重なり合って配置可能な複数の表示器を備え、その複数の表示器に表示される動画により多彩な演出を行う画像表示装置のための、前記複数の表示器に表示すべき各動画を作成する画像データ作成方法であって、
前記複数の表示器に表示すべき各動画を含む１つの動画を作成し、
前記１つの動画から時間方向に渡って切り出すことにより、各動画を作成することを特徴とする画像データ作成方法。
【請求項２】
前記１つの動画における切り出す領域を座標情報で特定することを特徴とする請求項１に記載の画像データ作成方法。
【請求項３】
画像作成装置において、前記１つの動画を作成するとともに前記座標情報を生成し、前記座標情報を伴った前記１つの動画に係るデータを、前記画像表示装置と同構成の表示確認装置に転送することを特徴とする請求項２に記載の画像データ作成方法。
【請求項４】
前記表示確認装置において、送られてきた前記１つの動画に係るデータから、それに伴った前記座標情報に基づき、前記複数の表示器に表示すべき各動画を作成することを特徴とする請求項３に記載の画像データ作成方法。
【請求項５】
前記座標情報は、前記１つの動画を構成する各フレームごとに付することを特徴とする請求項４に記載の画像データ作成方法。
【請求項６】
前記複数の表示器は、メイン表示器と、１つ以上のサブ表示器で構成され、前記メイン表示器に表示されるべき動画は、前記１つの動画に対応していることを特徴とする請求項１乃至５のいずれかに記載の画像データ作成方法。
【請求項７】
前記１つ以上のサブ表示器は、前記メイン表示器の前面で移動することを特徴とする請求項６に記載の画像データ作成方法。
【請求項８】
前記前記１つの動画における時間方向に渡って切り出す領域は、前記１つ以上のサブ表示器の前記移動に対応していることを特徴とする請求項７に記載の画像データ作成方法。
【請求項９】
前記１つの動画は、複数のレイヤーが積層合成されて形成されていることを特徴とする請求項１乃至８のいずれかに記載の画像データ作成方法。
【請求項１０】
前記メイン表示器及び前記サブ表示器の各々に、前記複数のレイヤーのうちの１レイヤー以上のレイヤーを割り当てることを特徴とする請求項９に記載の画像データ作成方法。
【請求項１１】
互いに前後に重なり合って配置可能な複数の表示器を備え、その複数の表示器に表示される動画により多彩な演出を行う画像表示装置のための、前記複数の表示器に表示すべき各動画を作成する画像作成装置と、
前記画像作成装置に連結され、前記画像表示装置と同構成の表示確認装置と、
を備えた画像データ作成システムであって、
前記画像作成装置は、
前記複数の表示器に表示すべき各動画を含む１つの動画を作成する動画データ編集処理部と、
前記１つの動画に対して時間方向に渡って座標情報を特定することにより、切り出すべき各動画を指定する切出し部分指定処理部と、を有し、
前記表示確認装置は、
前記画像作成装置から送られてきた前記１つの動画に係るデータと、それに付された座標情報に基づき、前記複数の表示器に表示すべき各動画を前記１つの動画から切り出して前記複数の表示器に表示する表示処理部を有することを特徴とする画像データ作成システム。
【発明の詳細な説明】
【技術分野】
【０００１】
本発明は、画像データ作成方法及び画像データ作成システムに関し、特に、互いに前後に重なり合って配置可能な複数の表示器を備え、その複数の表示器に表示される動画により多彩な演出を行う画像表示装置のための、それらの複数の表示器に表示すべき各動画を作成する画像データ作成方法とその方法が採用される画像データ作成システムに関する。
【背景技術】
【０００２】
昨今のゲーム機やパチンコ機等の遊技機における画像表示においては、動画像により多彩な演出を実現すべく、複数の画像素材が、二次元空間的及び時間的に入り乱れかつ高速変化して非常に複雑な相互の関連表示が行われている。しかしながら、表示される各画像素材によっては、複雑に変化して高速に移動するものがある一方で、時間方向に静止状態を維持するようなものもある。かかる素材ごとの特性に鑑み、液晶等の画面に表示する動画像を論理的な複数のレイヤーで構成し、各画像素材を各レイヤーに割り当ててレイヤー単位での画像素材の処理を可能として、最終的に画面に表示する際に、各レイヤーに係る画像データを積層合成することが一般的に行われている。これにより、動画像を構成する各画像素材の作成・編集や修正・確認が容易になっている。このような技術を開示したものとして特許文献１がある。
【０００３】
また、特に最近では、液晶等の表示器を複数用意し、１つの表示器の前面に他の表示器を重ねて動かしたり、また離したりしつつ、その過程でそれらの表示器に表示される画像が相互に連係するように構成され、それにより奇抜な演出を行うというような技術も採用されている。かかる技術を開示する文献としては、特許文献２がある。
【０００４】
簡単な例で説明すると、図８に示すように、表示装置２０００は、メイン表示器２２と、メイン表示器２２の前方に配設されたサブ表示器２３を備えており、サブ表示器２３は、メイン表示器２２の前を移動可能に構成されている。このように複数の表示器２２，２３を備えた表示装置２０００による典型的な演出の例を、図９を参照して説明する。図９（ａ）は、静止画像に対してサブ表示器２３が移動する場合の例である。この場合、“７”という文字がメイン表示器２２に表示されている状態で、サブ表示器２３がその前面を平行移動してきてその文字“７”に覆い被さるような状態になっても、サブ表示器２３に文字“７”を連係連続的に表示するようにして、結果として見かけ上、文字“７”が表示され続けるというような演出である。また、図９（ｂ）は、サブ表示器２３が静止したままの状態で画像が変化する場合の例である。この場合、サブ表示器２３の画像の中心部でまず爆発が発生し、その爆風が時間経過と共に拡散していく様子を表しており、右図に示すように、爆風がサブ表示器２３の物理的な範囲を超えた段階で、その後は、メイン表示器２２に連係連続的に表示するというような演出である。但し、図９は分かり易い例であり、実際は、両者の組み合わせ、すなわちサブ表示器２３が移動しつつ画像を変化させることにより、多彩な演出を実現している。なお、図８に示した構成は単に一例であり、サブ表示器が２以上あり、それらの共働により演出を実現する場合もある。
【０００５】
次に、上述のような複数の表示器を備えた表示装置のための、それらの表示器に表示される各動画の従来における作成方法を説明する。図１０は、それらの動画を作成するための装置構成を示す図である。同図に示す動画を作成するための装置は、大別して、画像作成装置１００（コンテンツ（画像）作成ツール）と、それに有線で接続された実機又は実機相当の表示確認装置２００とで構成されている。ここで、画像作成装置１００は、処理装置本体１０１と、表示部１２、キーボード１３、マウス１４で少なくとも構成され、典型的には、汎用のパーソナルコンピュータに動画作成ソフトウェアが搭載されたものである。一方、表示確認装置２００は、メイン表示器２２及びサブ表示器２３を含み、更に図示しない表示処理部、表示器駆動制御部等を含んでいる。
【０００６】
図１１は、図１０に示した装置を利用した従来における動画作成の手順を示すフローチャートである。そこで、画像作成装置１００において、まず、メイン表示器２２用の動画（メイン動画）を作成する（ステップＳ１０１）。例えば図９（ａ）のような場合、メイン表示器２２用動画として、図１２（ａ）に示すような、時間的に変化しない動画を作成する。次に、サブ表示器２３用の動画（サブ動画）を作成する（ステップＳ１０２）。同様に図９（ａ）のような場合、サブ表示器２３用動画として、図１２（ｂ）に示すような、時間的に連続的に変化するような動画を作成する。そして、作成したメイン表示器２２用動画及びサブ表示器２３用動画のそれぞれを表示確認装置２００に転送する（ステップＳ１０３）。そして、表示確認装置２００においては、サブ表示器２３を物理的に駆動しつつ、送られてきたメイン表示器２２用動画及びサブ表示器２３用動画を、それぞれメイン表示器２２及びサブ表示器２３に表示し（ステップＳ１０４）、両者の画像が位置的及び時間的に正確に連係連続しているか否を検証する（ステップＳ１０５）。その結果、位置的及び時間的な連係連続が不正確・不十分な場合は、ステップＳ１０１に戻り、画像作成装置１００での修正作業を行う。なお、図１１に示す例では、ステップＳ１０３において、メイン表示器２２用動画及びサブ表示器２３用動画をまとめて転送しているが、それぞれを作成するごとに、個々に転送してもよい。
【先行技術文献】
【特許文献】
【０００７】
【特許文献１】特開２００３−２２８７０３号公報
【特許文献２】特開２０１２−００５６９３号公報
【発明の概要】
【発明が解決しようとする課題】
【０００８】
しかしながら、上述の従来における動画作成の方法によれば、メイン表示器２２用動画とサブ表示器２３用動画とをそれぞれ別個独立に作成しているので、画像作成装置１００での時間的整合は困難であり、また時間的整合をとったうえでの位置的整合を図ることも難しい。例として、図１３（ａ）が、位置的に整合が取れていない例であり、同図（ｂ）が時間的に整合がとれていない例である。従って、表示確認装置２００での表示検証と、その結果に基づく画像作成装置１００での修正を再三繰り返す可能性が高く、作業が煩雑であるという課題があった。なお、かかる課題は、サブ表示器２３の物理的な動きにも関連するが、この物理的な動きの正確性を前提としても生ずる課題である。
【０００９】
本発明は上述のような事情から為されたものであり、本発明の目的は、画像作成作業の効率を向上させることができる画像データ作成方法及び画像データ作成システムを提供することにある。
【課題を解決するための手段】
【００１０】
上記目的を達成するため、本発明の画像データ作成方法は、互いに前後に重なり合って配置可能な複数の表示器を備え、その複数の表示器に表示される動画により多彩な演出を行う画像表示装置のための、前記複数の表示器に表示すべき各動画を作成する画像データ作成方法であって、前記複数の表示器に表示すべき各動画を含む１つの動画を作成し、前記１つの動画から時間方向に渡って切り出すことにより、各動画を作成することを要旨とする。
【００１１】
ここで、前記１つの動画における切り出す領域を座標情報で特定することが好適である。
【００１２】
また、画像作成装置において、前記１つの動画を作成するとともに前記座標情報を生成し、前記座標情報を伴った前記１つの動画に係るデータを、前記画像表示装置と同構成の表示確認装置に転送することを行い得る。
【００１３】
その後、前記表示確認装置において、送られてきた前記１つの動画に係るデータから、それに伴った前記座標情報に基づき、前記複数の表示器に表示すべき各動画を作成することが可能である。
【００１４】
また、前記座標情報は、前記１つの動画を構成する各フレームごとに付されることが好適である。
【００１５】
特定の形態として、前記複数の表示器は、メイン表示器と、１つ以上のサブ表示器で構成され、前記メイン表示器に表示されるべき動画は、前記１つの動画に対応している場合がある。このとき、前記１つ以上のサブ表示器は、前記メイン表示器の前面で移動する。また、前記前記１つの動画における時間方向に渡って切り出す領域は、前記１つ以上のサブ表示器の前記移動に対応している。
【００１６】
また、典型的には、前記１つの動画は、複数のレイヤーが積層合成されて形成されている。このとき、特に、前記メイン表示器及び前記サブ表示器の各々に、前記複数のレイヤーの全レイヤーを割り当てるようにしないことも可能である。
【００１７】
また、上記目的を達成するため、本発明の画像データ作成システムは、互いに前後に重なり合って配置可能な複数の表示器を備え、その複数の表示器に表示される動画により多彩な演出を行う画像表示装置のための、前記複数の表示器に表示すべき各動画を作成する画像作成装置と、前記画像作成装置に連結され、前記画像表示装置と同構成の表示確認装置と、を備えた画像データ作成システムであって、前記画像作成装置は、前記複数の表示器に表示すべき各動画を含む１つの動画を作成する動画データ編集処理部と、前記１つの動画に対して時間方向に渡って座標情報を特定することにより、切り出すべき各動画を指定する切出し部分指定処理部と、を有し、前記表示確認装置は、前記画像作成装置から送られてきた前記１つの動画に係るデータと、それに付された座標情報に基づき、前記複数の表示器に表示すべき各動画を前記１つの動画から切り出して前記複数の表示器に表示する表示処理部を有することを要旨とする。
【発明の効果】
【００１８】
本発明によれば、１つの動画から複数の表示器用の動画を切り出して作成しているので、複数の表示器に表示される動画相互において、時間軸方向の時間情報が相互に共通しており、前記画像表示装置の複数の表示器に、切り出したそれぞれの動画を表示した際に、既に時間軸方向に互いに整合がとれているので、動画作成における煩雑さが軽減され、作業効率が向上する。
【図面の簡単な説明】
【００１９】
【図１】本発明の画像データ作成方法における一実施形態の処理手順を示すフローチャートであり、同図（ａ）は、画像作成装置１における処理手順であり、同図（ｂ）は、表示確認装置２における処理手順である。
【図２】本発明の画像データ作成システムの一実施形態の機能構成ブロック図であり、同図（ａ）は、画像作成装置１の機能構成ブロック図であり、同図（ｂ）は、表示確認装置２の機能構成ブロック図である。
【図３】本発明の画像データ作成方法における一実施形態の処理手順の説明のために供される図である。
【図４】本発明の画像データ作成方法における一実施形態の処理手順の説明のために供される図である。
【図５】本発明の画像データ作成方法における一実施形態の処理手順の説明のために供される図である。
【図６】本発明の画像データ作成方法における一実施形態の処理手順の説明のために供される図である。
【図７】本発明の画像データ作成方法における一実施形態の処理手順の説明のために供される図である。
【図８】複数の表示器が重なり合うような構成の表示装置の例を示す図である。
【図９】複数の表示器が重なり合うような構成の表示装置における画像演出の例を示す図である。
【図１０】従来における画像作成装置と表示確認装置の構成の例を示す図である。
【図１１】画像作成装置及び表示確認装置を利用して動画データを作成する従来の処理手順を示すフローチャートである。
【図１２】従来の処理手順を説明するための図である。
【図１３】従来の処理手順により生ずる課題を説明するための図である。
【発明を実施するための形態】
【００２０】
以下、図面を参照して、本発明の実施の形態について詳細に説明する。  
図１は、本発明の画像データ作成方法における一実施形態の処理手順を示すフローチャートであり、同図（ａ）は、画像作成装置１における処理手順であり、同図（ｂ）は、表示確認装置２における処理手順である。図２は、本発明の画像データ作成システムの一実施形態の機能構成ブロック図であり、同図（ａ）は、画像作成装置１の機能構成ブロック図であり、同図（ｂ）は、表示確認装置２の機能構成ブロック図である。
【００２１】
ここで、図２（ａ）に示した画像作成装置１は、動画の作成・編集等の処理を行う動画データ処理部１１と、作成編集中の動画が表示される表示部１２と、オペレータが作成・編集の指示を行うためのキーボード１３及びマウス１４とで少なくとも構成される。更に詳細に、動画データ処理部１１は、作成編集中や作成編集後の動画データが格納される動画データ格納部１１１と、動画の作成編集を実質的に行う動画データ編集処理部１１２と、作成した動画に対して、後述するサブ表示器２３による表示に相当する部分を特定するための切出し部分指定処理部１１３と、作成した最終的な動画データを表示確認装置２に転送するための動画データ転送処理部１１４とを備えている。なお、画像作成装置１は、外観上は、図９に示した画像作成装置１００と同様である。
【００２２】
また、図２（ｂ）に示した表示確認装置２は、メイン動画が表示されるメイン表示器２２と、サブ動画が表示されるサブ表示器２３と、それらの表示器に動画を表示しつつ、サブ表示器２３の駆動制御を行う処理制御部２１とで少なくも構成される。更に詳細に、処理制御部２１は、画像作成装置１からの動画データを受信する動画データ受信処理部２１１と、受信した動画データを格納する動画データ格納部２１２と、メイン表示器２２及びサブ表示器２３に対する動画表示処理を直接的に行う表示処理部２１３と、サブ表示器２３に対する駆動制御を行う表示器駆動制御部２１４とを備えている。なお、表示確認装置２は、外観上は、図９に示した表示確認装置２００と同様である。
【００２３】
図３乃至図７は、本発明の画像データ作成方法における一実施形態の処理手順の説明のために供される図である。以下、図２乃至図７を参照しつつ、図１に示したフローチャートに沿って、本発明の画像データ作成方法における一実施形態の処理手順を説明する。
【００２４】
まず、画像作成装置１のキーボード１３及びマウス１４を介して行われた指示に基づき、動画データ編集処理部１１２は、複数のレイヤーで構成される動画について、表示部１２に表示させつつ、その各レイヤーの動画を作成する（ステップＳ１）。図３（ａ）は、３つのレイヤーで構成される動画の例を示しており、同図（ｂ）は、２つのレイヤーで構成される動画の例を示している。そして、指示に基づき、動画データ編集処理部１１２は、図３の右側に示すように、作成された各レイヤーの動画データを論理的に積層合成して、表示部１２に表示する（ステップＳ２）。次に、積層合成表示された動画について、図４に示すように、表示部１２上で時間的に推移させ、各レイヤーの動画相互の位置的及び時間的関係（連係連続的な関係）が所望のものであるかを確認する（ステップＳ３）。所望のものでない場合には（ステップＳ４において否定判定）、ステップＳ１に戻り、必要なレイヤーに係る動画データを修正したり、時間関係を調整したりする。一方、修正調整後、所望の動画が完成した場合（ステップＳ４において肯定判定）には、ステップＳ５に移行するのであるが、この段階で動画を構成する各レイヤーは、相互に一元的な時間軸（時間情報）で管理できていることになる。これは動画を構成する各フレームに時間情報が付されることによる。
【００２５】
ステップ５においては、図４の点線に示すように、サブ表示器２３に表示する部分を時間経過に渡って切り出し、切り出した部分を特定する情報としての座標情報を、各フレームに対応させる。図４（ａ）は、切り出す部分が移動する場合、言い換えればサブ表示器２３が移動する場合であり、同図（ｂ）は、切り出す部分が固定している場合である。なお、サブ表示器２３に表示される画像の大きさは、サブ表示器２３の大きさにより特定されているのであるから、切り出す部分を特定するのは、例えば、サブ表示器２３の画面が矩形であれば、その矩形に対応する動画上で指定した矩形の一頂点で足りる。但し、これは一例であり他の特定の仕方もある。また、サブ表示器２３が移動する場合の時間方向の座標データの特定の仕方としては、サブ表示器２３の表示対象物が等速で平行移動するような場合には、例えば、移動の始点と終点において、切り出す矩形を指定して座標を特定してやれば、あとは線形に各フレームに割り当てることが可能である。更に詳細には、動画の始点において切り出す領域の矩形を指定して座標を特定した後、動画を時間的に終点にまで推移させ、その状態でマウス１４で上記矩形をドラッグして所望の位置まで移動させ、そしてその状態で座標を特定することにより実現できる。しかしながら、サブ表示器２３が非等速かつ複雑に移動する場合もあり得る。かかる場合でも、各線形部分で分割処理したり、また、動画が表示されている状態で、その時間推移に伴って、サブ表示器２３に表示させるべき対象物を、矩形で追従して（マウス１４によるドラッグ）座標データを獲得することも可能である。更に、究極的には、各フレームごとに個々に座標データを割り当てることも可能である。なお、以上の処理は図２（ａ）における動画データ格納部１１内の切出し部分指定処理部１１３が担っている。このようにして各フレームに座標データが付された動画データは、一旦動画データ格納部１１１に格納される。
【００２６】
なお、ステップＳ３及びＳ４における確認は、すべてのレイヤーを積層合成した状態で行うが、メイン表示器２２への画像の割り当てや、ステップＳ５において切り出した画像のサブ表示器２３への割り当ては、すべてのレイヤーを割り当てる必要はない。むしろ逆に、メイン表示器２２やサブ表示器２３への画像の割り当てにおいて、レイヤーを制限する、言い換えれば、任意に選択できるようにすることで、特定の演出が可能となる。
【００２７】
つまり、図４に示した例の場合は、各表示器２２，２３にはそのまま全レイヤーを割り当てればよい。具体的には、図４（ａ）の場合、サブ表示器２３には、第１乃至第３レイヤーをすべて割り当て、メイン表示器２２には、第１レイヤーと第２レイヤーだけでよいが、第３レイヤーも割り当てても、メイン表示器２２の第３レイヤーの画像は、サブ表示器２３により隠れるので、メイン表示器２２にもすべてのレイヤーを割り当てても差し支えない。また、図４（ｂ）の場合は、第２レイヤーの画像がサブ表示器２３をはみ出してメイン表示器２２に表示されるという演出なので、メイン表示器２２及びサブ表示器２３に、いずれも第１レイヤー及び第２レイヤーの双方を割り当てる必要がある。
【００２８】
しかしながら、例えば図５の例に示すように、サブ表示器２３の移動に伴って、静止している“人物”が突然現れるような演出の場合には、サブ表示器２３には第１乃至第３の全レイヤーを割り当てるが、メイン表示器２２には第１及び第２のみのレイヤーを割り当てるということになる。なお、このように各表示器２２，２３に割り当てるレイヤーを制限するために、切出し部分指定制御部１１３は、キーボード１３又はマウス１４を介して行われた指示に基づき、動画データに、座標データに加えて、各表示器、この例ではメイン表示器２２とサブ表示器２３に割り当てるレイヤーの情報を付帯させる。なお、キーボード１３又はマウス１４により１以上のレイヤーを選択する仕方は、当業者には自明である。
【００２９】
次に、図６の説明を行う。同図は、画像作成装置１の表示部１２に表示される具体的な画面（ツールの表示画面）の例を示している。同図（ａ）の例では、画像に加えて、現在表示されている画像を構成する画像素材の一覧が左上に列挙表示されるようになっている。また、同図（ｂ）は、画像素材一覧の例を示しており、例えば、#multi#が付されたものは複数表示用素材を表している。
【００３０】
図１に戻り、動画データ作成編集が終了すると、ステップＳ６において、動画データ転送処理部１１４により、サブ表示器２３に対応した画像領域を特定するための座標データが各フレームに付された動画データと、各表示器２２，２３に割り当てるレイヤーの情報が表示確認装置２に転送される。
【００３１】
次に、図１（ｂ）に沿って、表示確認装置２での処理を説明する。まず、図２に示した処理制御部２１内の動画データ受信処理部２１１が、画像作成装置１から送られてきた動画データを受信する（ステップＳ１１）。受信したデータは、一旦、動画データ格納部２１２に格納される。そして表示確認の際には、表示処理部２１３と表示器駆動制御部２１４が共働し、すなわち、表示器駆動制御部２１４がサブ表示器２３を駆動しつつ、表示制御部２１３は、受信した動画をメイン表示器２２にメイン表示器２２用の動画を表示すると共に、各フレームに付された座標情報に基づき、実時間で、サブ表示器２３用の動画を切り出してサブ表示器２３に表示する（ステップＳ１２）。このとき前述のように、それらのメイン表示器２２用の動画とサブ表示器２３用の動画とには、共通の一元的な時間軸情報が付されているので、従来のように相互に時間的に不整合となるようなことはない。また、メイン表示器２２用の動画から直接切り出しているので、サブ表示器２３の駆動の物理的は正確性を前提として、各フレーム上の二次元位置的なずれ等の不整合も生じない。
【００３２】
なお、これまでの説明では、サブ表示器２３が１つの場合を説明してきたが、これに限られることはなく、サブ表示器２３が複数個であるような演出のための表示装置にも適用できる。また、これまでの説明では、図６に示したように、メイン表示器２２用の画像の大きさが、表示部１２における、編集に供させる表示最大画像と一致している場合について説明したが、これに限られることはなく、図７に示すように、メイン表示器２２用の画像も表示最大画像の一部を切り出してくるように構成してもよい。この場合には、同図に示すように、サブ表示器２３用の画像領域として、メイン表示器２２用の画像からはみ出した領域を設定できるという利点がある。更に一般的には、メイン表示器とサブ表示器の区別なく、すべてが同等の表示器であってもよい。
【００３３】
＜他の実施形態＞
上述の実施形態においては、画像作成装置１から、サブ表示器２３用の動画を切り出すための座標情報を付帯させて送り、表示確認装置２において、その座標情報に基づき切り出す処理を行うようにしているが、画像作成装置１において、実際にサブ表示器２３用の動画を切り出し、切り出した動画データ自体を送るようにしてもよい。この場合には、転送の情報量は増えるものの、上述の実施形態と比較して、表示確認装置２の処理が軽減されるという利点がある。
【００３４】
以上のように、上述の実施形態によれば、メイン表示器２２用の動画データからサブ表示器２３用の動画データを切り出して作成しており、又は、１つの動画データからメイン表示器２２用の動画データ及びサブ表示器２３用の動画データを切り出して作成しているので（図７の態様）、メイン表示器２２用の動画データと、サブ表示器２３用の動画データとにおいて、時間軸方向の時間情報が相互に共通している。従って、表示確認装置２のメイン表示器２２及びサブ表示器２３のそれぞれに表示した場合に、相互に時間的に不整合となる程度は従来に比して極めて少なくなる。また、各時間における位置的なずれが生じる可能性や程度も極めて少なくなる。従って、かかる表示器構成を前提とした動画データ作成における手間や煩雑さが軽減され、作業効率が向上する。
【産業上の利用可能性】
【００３５】
本発明の画像データ作成方法及び画像データ作成システムは、パチンコ機、ゲーム機等の遊技機で表示される動画データの作成に適用される。
【符号の説明】
【００３６】
１  画像作成装置
１１  動画データ処理部
１１１  動画データ格納部
１１２  動画データ編集処理部
１１３  切出し部分指定処理部
１１４  動画データ転送処理部
１２  表示部
１３  キーボード
１４  マウス
２  表示確認装置
２１  処理制御部
２１１  動画データ受信処理部
２１２  動画データ格納部
２１３  表示処理部
２１４  表示器駆動制御部
２２  メイン表示器
２３  サブ表示器
【図１】
2014235492.tif 000003
【図２】
2014235492.tif 000004
【図３】
2014235492.tif 000005
【図４】
2014235492.tif 000006
【図５】
2014235492.tif 000007
【図６】
2014235492.tif 000008
【図７】
2014235492.tif 000009
【図８】
2014235492.tif 000010
【図９】
2014235492.tif 000011
【図１０】
2014235492.tif 000012
【図１１】
2014235492.tif 000013
【図１２】
2014235492.tif 000014
【図１３】
2014235492.tif 000015